(57)【特許請求の範囲】
【請求項１】
滑走用具（２）上に足又は靴を保持する保持装置（１）であって、該保持装置（１）は、後端（４）から前端（５）に長手方向（Ｌ）に延びるベースプレート（３）、及び、該ベースプレート（３）に対して折り畳むことと展開することができるように前記後端（４）の領域において前記ベースプレート（３）に対して関節連結される後部支持部材（２９）を備え、また、前記ベースプレート（３）に対する前記後部支持部材（２９）の展開を制限するストッパー（４９）を備え、該ストッパー（４９）は、前記ベースプレート（３）にしっかり取り付けられ、自立形構造を有し、前記後部支持部材（２９）の展開が前記長手方向（Ｌ）の前記ストッパー（４９）の作用によって制限され、
前記ストッパー（４９）は、前記後部支持部材（２９）が後方に展開したときに前記後部支持部材（２９）の形状にぴったり合うように横方向に可撓性があることを特徴とする、保持装置。
【請求項２】
前記ストッパー（４９）はアーチ状部材（５０、１００）によって構成され、該アーチ状部材（５０、１００）は自由面（３７）側の前記後部支持部材（２９）の外周に沿っていることを特徴とする、請求項１に記載の保持装置。
【請求項３】
前記アーチ状部材（５０、１００）は、前記ベースプレート（３）上の該アーチ状部材（５０、１００）の第１のアンカー点（６３、１１３）から前記ベースプレート（３）上の該アーチ状部材（５０、１００）の第２のアンカー点（７３、１２３）に接続するストリップ（７５、１７５）を備え、該ストリップ（７５、１７５）の長手方向軸は前記ベースプレート（３）の上面（８）に対して所定の角度（α）で傾斜した平面（Ｐ）内に延在することを特徴とする、請求項２に記載の保持装置。
【請求項４】
前記アーチ状部材（５０、１００）の前記第１のアンカー点（６３、１１３）及び前記第２のアンカー点（７３、１２３）は双方とも前記ベースプレート（３）の前記後端（４）よりも前記前端（５）に近いことを特徴とする、請求項３に記載の保持装置。
【請求項５】
前記ストリップ（７５、１７５）は可撓性があり、長手方向の引張に耐性があることを特徴とする、請求項３又は４に記載の保持装置。
【請求項６】
前記ストリップ（７５、１７５）は複数の材料から成ることを特徴とする、請求項３ないし５のいずれか一項に記載の保持装置。
【請求項７】
前記ストリップ（７５、１７５）はワイヤー又はストラップ（８０）を含む、請求項３ないし６のいずれか一項に記載の保持装置。
【請求項８】
前記アーチ状部材（５０、１００）は、外側支持体（５１、１０１）、内側支持体（５２、１０２）、並びに、前記外側支持体（５１、１０１）及び前記内側支持体（５２、１０２）を互いに接続するブリッジ（５３、１０３）を含むことを特徴とする、請求項２ないし７のいずれか一項に記載の保持装置。
【請求項９】
前記外側支持体（１０１）、前記内側支持体（１０２）及び前記ブリッジ（１０３）は一体的に形成されていることを特徴とする、請求項８に記載の保持装置。
【請求項１０】
ベルト（８０）が前記ブリッジ（５３）を形成することを特徴とする、請求項８に記載の保持装置。
【請求項１１】
前記外側支持体（５１、１０１）はループ（６１、１１１）及びフット（６２、１１２）を含み、前記内側支持体（５２、１０２）はループ（７１、１２１）及びフット（７２、１２２）を含むことを特徴とする、請求項８ないし１０のいずれか一項に記載の保持装置。
【請求項１２】
前記ベースプレート（３）は外側フランジ（２１）及び内側フランジ（２２）によって画定され、前記外側支持体及び前記内側支持体の各々の厚み（ｅ）は、該支持体がしっかり取り付けられている前記フランジ（２１、２２）の厚み（Ｅ）よりも薄いことを特徴とする、請求項８ないし１１のいずれか一項に記載の保持装置。
【請求項１３】
前記ストッパー（４９）は前記ベースプレート（３）に取り付けられた部品であることを特徴とする、請求項１ないし１２のいずれか一項に記載の保持装置。
【請求項１４】
前記ストッパー（４９）は前記ベースプレート（３）と共に一体的に形成されていることを特徴とする、請求項１ないし１２のいずれか一項に記載の保持装置。
【請求項１５】
前記後部支持部材（２９）が前記ストッパー（４９）と接触するときの前記後部支持部材（２９）の傾斜、及び／又は、前記ベースプレート（３）に対して垂直の仮想軸に対する前記後部支持部材（２９）の角度配向の調節を可能にする、調節機構（８５、８６、８７、８８）を備えることを特徴とする、請求項１ないし１４のいずれか一項に記載の保持装置。
【発明の詳細な説明】
【技術分野】
【０００１】
本発明は、特に滑走用具のようなスポーツ用具に足又は靴を保持する装置に関する。
【背景技術】
【０００２】
かかる装置は、スノーボード、スキー、スノーシューイング又はその他を行うに際して利用される。
【０００３】
従来技術による幾つかの特定の装置は、足又は靴を保持するようになっているベースプレート、及び、ユーザーの下腿を支持するようになっている後部支持部材を備えている。後部支持部材は、ベースプレートに対して折り畳むことができるように一般に関節部によってベースプレートに連結されている。これにより、占有場所が低減すると共に収納が容易となる。ベースプレートに対する後部支持部材の展開を制限するストッパーも備わっている。
【０００４】
想定されるものとしてはスノーボードにおいてよく見られる。この分野では、ユーザーは１つの同じボードに両足が保持されると共にボードのほぼ横方向に向けられる。したがって、横方向の応力がつま先又は踵に局部的にかかる。つま先への応力の場合、後部支持部材は応力に耐えられないか又はほとんど耐えることができない。それに対し、踵への応力の場合、後部支持部材は、非常に高い可能性のある応力に耐える。したがって、ストッパーもそれらの応力に耐える。例えば、後部エッジの、すなわち踵に対する捕捉時、後部支持部材は下腿が及ぼす後部衝撃を伝達する。他の場合では、後部支持部材は地面からの衝撃をユーザーに返す。これらの衝撃はストッパーを通過する。
【０００５】
保持装置に適切な機械的特性を付与するために、従来技術は様々な構造を提案してきた。
【０００６】
特に、ベースプレートが、ベース及びアーチによって互いに接続される外側フランジ及び内側フランジを含むことが知られている。当然のことながら、ベースは靴のソールを支持し、アーチは踵の外周に沿っている。後部支持部材は、フランジとアーチとの間の境界でベースプレートに対して関節連結され、アーチの前に配置される。下腿が後部衝撃を及ぼしたときにアーチにもたれかかるようにストッパーが後部支持部材にしっかり取り付けられている。この確実な構造により、ボードの満足のゆく操縦が可能となる。しかしながら、この構造は幾つかの不都合点を有する。
【０００７】
まず、踵の保持が最適ではない。このことは、少なくとも特定の幾つかの操縦段階中、常に快適に又は適切な精度で踵が保持されるわけではないことを意味する。
【０００８】
後部支持部材が比較的剛性である場合、例えばスポーツに関わる操作に関して、靴と後部支持部材との接触が均一ではない。換言すれば、靴が後部支持部材の形状に完全にはぴったり合っていない。靴の特定の幾つかの部分が非常に圧縮され、その一方、他の部分には遊びが残っているため、互いの接触に関連付けられた圧力の一様でない分布が生じることになる。
【０００９】
後部支持部材がより可撓性がある場合、より平穏な操作に関して、靴と後部支持部材との接触がアーチの作用によって支障をきたす。アーチは、ストッパーと協働するため、剛性である。実際、アーチは、ストッパー及び後部支持部材を介して、時には、後部支持部材がアーチに直接もたれる場合には後部支持部材だけを介して、靴に局部的な応力を返す。
【００１０】
その結果、特に過度の又は長期の使用の場合に、踵の保持が不快又は不確実になることがある。これにより操縦が妨げられる。
【００１１】
別の不都合点は構造の複雑性である。ベースプレートはそのベース及びそのアーチと共に三次元的な一体品であり、その形状がベースプレートの製造を精緻にする。さらに、この第１の群による構造は部材の数をかなり多くする。このことは、位置が調節可能であり、そのために調節手段を設ける必要があるストッパーについて特に当てはまる。一般に、調節手段を得るには、本来のストッパーに加え、少なくともねじ、ワッシャー及びナットが必要である。おまけに組立時間がかなり長く、製造コストがかなり高く、また、かなりの高重量である。この点に関してアーチが部分的に関与しているが、その理由は、アーチはストッパーがかける鉛直方向の支持に対して耐えるのに十分に頑丈である必要があるからである。
【００１２】
既知の装置は、たとえその装置が取り付けられるボードの申し分のない操縦を可能にするとしても依然として改良の余地があることが分る。
【発明の概要】
【発明が解決しようとする課題】
【００１３】
したがって、以下に記載する本発明は、スポーツ用具に足を保持する装置を改良することを包括的な目的とする。
【００１４】
本発明は特に踵の保持を改善する、すなわち踵の保持の快適性及び／又は精度を高めようとするものである。本発明はまた、装置の構造を単純化しようとするものである。本発明は製造に必要な部品の数を減らそうとするものでもある。結果として、本発明は装置の組立てに必要な時間を短縮しようとするものであると共にそのコストを低減しようとするものである。本発明はさらに、保持装置の重量も減らそうとするものである。最後に、本発明の目的は、特にベースプレートに対する後部支持部材の折畳み又は展開に関して装置の操作を容易にすることである。
【課題を解決するための手段】
【００１５】
かかる目的のため、本発明は、滑走用具上に足又は靴を保持する装置であって、後端から前端に長手方向に延びるベースプレート、及び、該ベースプレートに対して折り畳むことと展開することができるように後端でベースプレートに対して関節連結される後部支持部材を備え、また、ベースプレートに対する後部支持部材の展開を制限するストッパーを備える、保持装置を提供する。
【００１６】
ベースプレートにしっかり取り付けられたストッパーは自立形構造を有する。後部支持部材の展開はストッパーの長手方向における作用により制限される。
【００１７】
本発明の保持装置は、後部支持部材が後方に展開したときに後部支持部材の形状にぴったり合うようにストッパーが長手方向と垂直な横方向において可撓性があることを特徴とする。
【００１８】
この構成により、靴と後部支持部材との適合が可能となる。換言すれば、靴と後部支持部材との接触がより一様となり、さらには均一となる。結果として、これらの２つの構成部品間の接触圧力の分布が一様となる。その結果、有利には、踵の保持がより快適であり、かつ／又はより精度があるものとなる。
【００１９】
他方、提供される構成により保持装置の構造が単純化することができる。これによる結果は、有利には、既知の装置に対し、製造に必要な部品の数が減り、組立て時間がより短くなり、かつ、製造コストがより低くなることである。また、特に固定式アーチがないという理由から本発明による装置の重量が低減することも分る。
【００２０】
さらに、ストッパーの自立形特性により、後部支持部材の折畳みゾーンが何もない解放状態にあることが分る。これによる結果は、有利には、ベースプレートに対する後部支持部材の折畳みによって収納の操作がより容易であることである。
【００２１】
上記状況は要約すれば本発明は保持装置の改良であるということができる。
【００２２】
本発明の他の特徴及び利点は、本発明を実施することができるように、限定を意図するものではない実施形態に従って、例示の添付図面を参照しながら、以下に続く記載によってよりよく理解されるであろう。
【図面の簡単な説明】
【００２３】
【図１】後部支持部材が展開位置にある、本発明の第１の実施形態による保持装置の後方斜視図である。
【図２】後部支持部材をベースプレートに対して折り畳むことができる様子を示す、図１に記載の装置の部分側面図である。
【図３】後部支持部材が折り畳み位置にある、図１と同様の図である。
【図４】図２のＩＶ−ＩＶに沿った断面図である。
【図５】装置の調節の変更形態を示す、図４と同様の図である。
【図６】図２のＶＩ−ＶＩに沿った断面図である。
【図７】図２の部分破断図である。
【図８】本発明の第２の実施形態による保持装置の後方斜視図である。
【発明を実施するための形態】
【００２４】
以下に記載する形態は、多分にスノーボード分野に関しているが、上述したような他の分野にも適用されることを理解すべきである。
【００２５】
第１の実施形態を図１〜図７によって示す。
【００２６】
図１に斜視方向に見られるように、保持装置１がボード２における靴（図示せず）の一時的な保持を可能にする。
【００２７】
既知のように、保持装置１は、後端４と前端５との間の長手方向Ｌに縦に、かつ、第１の縁６から第２の縁７にかけて横に延びるベースプレート３を備える。
【００２８】
ベースプレート３は、靴のソールに対向するようになっている上面８と、ボード２の上にあるようになっている下面９とを有する。
【００２９】
ベースプレート３は好ましくは、後部パッド１１及び前部パッド１２につながったベース１０を含む。ベース１０は、少なくとも部分的に下面９を画定する剛性部品である。パッドに関して、このパッドは少なくとも部分的に上面８を画定する。記載の第１の実施形態によれば、パッド１１、１２はそれぞれベースプレート３の後部及び前部に配置される。これにより靴のソールの踵又はつま先との緩和した接触が可能となる。
【００３０】
当然のことながら、例えば、ベースプレート３の後端４から前端５に延びるただ１つのパッドにつながったベースとして、他の構造もベースプレート３に対して設けることができる。ベースプレート３は円板１３の形態で具現される手段によってボード２に保持され、円板１３自体はねじ１４によってボード２に保持される。
【００３１】
当然のことながら、ベースプレート３の他の保持手段も意図されるであろう。
【００３２】
ベースプレート３は、第１のフランジ２１の形態で示された第１の部分及び第２のフランジ２２の形態で示された第２の部分によって側面から画定されている。この場合、第１のフランジ２１が外側であり、第２のフランジが内側であるが、逆であってもよい。これらのフランジ２１、２２はベース１０によって互いに接続されている。このように、フランジ２１、２２及びベース１０が靴の保持ゾーン２３を画定している。靴が装置１の所定位置におさまっている場合、フランジ２１、２２はソールに沿って側面から延びている。当然のことながら、外側部分及び内側部分を形成するのにフランジ２１、２２以外の他のものを設けることもできる。例えば、ストッパーが適しているであろう。
【００３３】
好ましくは、ベース１０及びフランジ２１、２２は、例えば合成樹脂等の合成材料で作製される一体品を形成する。しかしながら、フランジ２１、２２は、接合、溶接、ねじ留め、嵌め込み又はその他のようなあらゆる手段によってベースに結合された部品であることも意図されるであろう。
【００３４】
ベースプレート３上のフランジ２１、２２間の保持ゾーン２３において靴を取外し可能に維持する２本のベルトも同様に意図される。
【００３５】
第１のベルト２４が、足を固定する際に中足指節関節の高さに前方に位置する。第２のベルト２５が、足を固定する際に足の甲の高さに後方に位置する。
【００３６】
ベルト２４、２５はそれぞれ、フランジ２１、２２間に横方向に延びる。
【００３７】
当然のことながら、異なる数のベルトが意図され得る。
【００３８】
装置１はまた、ユーザーが下腿を後方にもたせかけることができるように後部支持部材２９も備える。後部支持部材２９は本体３０を含み、この本体３０は第１の取付端３１及び第２の取付端３２と自由端３３との間に縦方向に、第１の縁すなわち外縁３４と第２の縁すなわち内縁３５との間に横方向に、かつ、支持面３６から自由面３７にかけての厚みで延びる。
【００３９】
当然のことながら、支持面３６はユーザーの下腿の後ろ側を受けるようになっており、したがって、より詳細に後で記載するように、後部支持部材２９及びベースプレート３はつながっている。
【００４０】
図１〜図３によって理解されるように、後部支持部材２９は、ベースプレート３に対して折り畳むことができるように、また、展開することができるように、後端４でベースプレート３に対して関節連結される。このため、後部支持部材２９は、第１の取付端３１の領域に位置する第１の関節部４１と第２の取付端３２の領域に位置する第２の関節部４２とによってフランジ２１、２２に接続される。したがって、第１の取付端３１は第１のフランジ２１に接続され、第２の取付端３２は第２のフランジ２２に接続される。各関節部４１、４２はそれぞれ、装置１の第１の横軸４３及び第２の横軸４４に概ね沿って配向される。よって、各関節部４１、４２によりベースプレート３に対する後部支持部材２９の回転運動が可能となる。これにより得られる利点は収納が容易であることである。
【００４１】
保持装置１はストッパー４９をさらに備え、このストッパー４９はベースプレート３に対する後部支持部材２９の展開または回転を制限する。
【００４２】
本発明によれば、ストッパー４９は、ベースプレート３にしっかり取り付けられ、自立形構造を有し、かつ、ベースプレート３の長手方向Ｌの作用によって後部支持部材２９の展開を制限する。この構成により、靴と後部支持部材との間に、より一様な、さらには均一な接触が可能となる。したがって、この構成は保持装置１にシンプルな構造を与える。これにより得られる利点は、有利には、製造に必要な部品の数を減らすことができ、組立時間を短縮することができ、かつ、製造コストを低く抑えることができることである。
【００４３】
他方、ストッパー４９の自立形特性により、ストッパー４９が、ベース１０に対面しない方向に、後部支持部材２９の折畳みゾーンの外にとどまることが保証される。これにより得られる利点は、後部支持部材２９がベースプレート３に対して折り畳まれた後での収納が容易となることである。
【００４４】
限定するものではないが、第１の実施形態によれば、ストッパー４９はアーチ５０によって構成される。このアーチ５０は、第１の縁６に固定された外側支持体５１及び第２の縁７に固定された内側支持体５２、並びに、外側支持体５１及び内側支持体５２を互いにつなぐブリッジ５３を含む。アーチは自由面３７側の後部支持部材２９の外周に沿っていることが分る。
【００４５】
より詳細には、一例として、外側支持体５１はループ６１及びフット６２を含む。ループ６１は、第１のフランジ２１に固定された前端６３から、ブリッジ５３とつながる後端６４に長さが延びる。フット６２が、ループ６１の後端６４で第１のフランジ２１をループ６１に接続する。そのため、ループ６１は、後端６４がベースプレート３の後端４から離れるようにフランジ２１又はベースプレート３に対して傾斜している。当然のことながら、ループ６１、ひいては外側支持体５１は、ベースプレート３の長手方向Ｌに配向される。
【００４６】
同じ主旨で、内側支持体５２はループ７１及びフット７２を含む。ループ７１は、第２のフランジ２２に固定された前端７３から、ブリッジ５３とつながる後端７４に長さが延びる。フット７２が、ループ７１の後端７４の領域で第２のフランジ２２をループ７１に接続する。そのため、ループ７１は、後端７４がベースプレート３の後端４から離れるようにフランジ２２又はベースプレート３に対して傾斜している。当然のことながら、ループ７１、ひいては内側支持体５２は、ベースプレート３の長手方向Ｌに配向される。
【００４７】
ブリッジ５３は外側支持体５１及び内側支持体５２を互いに接続していることが分る。記載の第１の実施形態によれば、ブリッジ５３は支持体５１、５２のループ６１、７１の後端６４、７４を互いに接続する。その結果、ブリッジ５３がベースプレート３の上にその後端４の領域内で持ち上がって（リフト）いる。アーチ５０、したがってストッパー４９が長手方向Ｌの作用によって後部支持部材２９の回転または展開を制限することを可能にするのはこの配置であることが後でより良く理解されるであろう。
【００４８】
したがって、アーチ５０は、ループ６１、７１及びブリッジ５３によって形成されるストリップ７５を含む。換言すれば、ストリップ７５は、ベースプレート３上のアーチ５０の第１のアンカー点６３をベースプレート３上のアーチ５０の第２のアンカー点７３に接続している。ストリップ７５の幅は、その長手方向軸がベースプレート３の上面８に対して角度αで傾斜した平面Ｐ内に延在している場合にその長手方向軸とほぼ垂直な面内にある。この角度αは２０度〜５０度（両端値を含む）、好ましくは約３０度である。ストリップ７５は自由面３７側の後部支持部材２９の外周に沿っている。ストリップ７５はストッパー４９を形成する。ストリップ７５は、後部支持部材２９が後方に展開したときに後部支持部材２９の形状にぴったり合うように横方向に可撓性がある。したがって、後部支持部材２９の展開は、長手方向Ｌの、ストッパー４９を形成するストリップ７５の作用によって制限される。
【００４９】
この構成により、従来の旧型アーチに比して最適化されていると共に軽量とされている、ストッパー４９の構成が可能となる。実際に、後部支持部材２９の回転を制限するために、ストリップ７５は、平面Ｐ内に又はこの平面Ｐのほぼ近くの方向に沿って応力がかけられる。これにより、ストリップ７５が引張作用をうける。その際、後部支持部材２９によってかけられる応力がストリップ７５の２つのアーム、すなわち２つのループ６１、７１間で長手方向に分布し、アンカー点６３及び７３の領域に捕捉される。原則的に引張応力がかけられると、平面Ｐ内の実質的な応力に対応する、その長手方向の引張耐性の特性を有するようにストリップ７５を着想することができる。同様に、この構成により、ストリップ７５が横方向に、すなわち、その幅に対してほぼ垂直な応力によって応力をかけられたときに、ストリップ７５の可撓性を付与することが可能となるが、その理由は、ストッパー４９が、後部支持部材２９の回転を阻止する必要があるときに横方向に応力がかけられることがほとんどないからである。他方、この概念によれば、ストッパー４９は鉛直方向に、すなわち平面Ｐに対してほぼ垂直な方向に沿って応力がかけられることはほとんどない。したがって、ストッパー４９を、平面Ｐに対して同一平面にない方向に沿って応力がかけられる場合に非常に剛性かつ耐性があるようにサイズ決めする必要はない。
【００５０】
換言すれば、ストリップ７５はシュラウドのように機能する。
【００５１】
従来技術では、後部支持部材の回転を制限するのに関与する自立形アーチは、ほぼ鉛直方向に沿った応力に対して耐性があるように強化されていると共に比較的剛性の構造からなっていることに留意されたい。この構成により固定のために重量が付加されるため、ユーザーの快適性が損なわれる。固定の構成は、多くの場合、アーチの上部と接触する後部支持部材に固定される部品が含まれている。後部支持部材とアーチとの間に伝わる応力は、この接触のレベルを超えるため、ほぼ鉛直となる。したがって、アーチはこれらの応力に抗するのに十分に頑丈でなければならず、そのため、鉛直剛性でなければならない。同様に、アーチは部品の良好な保持を確実にするために横方向の応力に耐性がなければならない。アーチは、横方向に剛性がなければ、拘束されたときに撓む危険性がある。したがって、従来技術のアーチは、本発明の目的を果たすアーチと同じようには応力がかからない。従来技術のアーチは概して、引張よりも圧縮作用する。
【００５２】
ストリップ７５に主として引張応力がけられているとすると、縦方向の引張に対する耐性を高めるようにサイジングされることが有利である。このため、ストリップ７５は、ワイヤー、ストラップ、縦配向繊維を含む材料からなっていてもよい。ストリップ７５はまた、複数の材料からなっていてもよい。例えば、中にストラップが通る、ＰＵ若しくはポリエステルタイプのプラスチック材料製の管、及び／又は、ＰＡ若しくはＰＥ  ＵＨＭＷタイプの材料製のワイヤーからなっていてもよい。ストリップ７５は、その長さ全体において縦方向の引張に対する良好な耐性を確保すれば、ストリップ７５に沿って断続的な材料を有していてもよい。
【００５３】
この構成において重要なことは、引張に可能な限り作用するように、後部支持部材２９を囲んでいると共に、ベースプレート３に、好ましくはベースプレート３のフロントにアンカー固定されたストリップ７５が存在することである。ストッパー４９が自立形であることを確実にするために、アーチ５０はフット６２、７２と一体となっている。フット６２、７２とストリップ７５との間のスペースを部分的に仕切るか又は全く仕切らないことも考えられる。
【００５４】
第１の実施形態によれば、アーチ５０はストラップ８０の形態で具現されたベルトを含み、これは外側支持体５１に沿って、かつ、内側支持体５２に沿って延びる。ストラップのうち支持体５１、５２を接続する部分がブリッジ５３を形成する。換言すれば、ベルト８０がブリッジ５３を形成する。より詳細には、ストラップ８０は外側支持体５１からループ６１に沿って、かつ、内側支持体５２からループ７１に沿って延び、ストラップ８０がループ６１、７１の後端６４、７４を互いに接続している。
【００５５】
当然のことながら、ストラップ８０は、その長手方向と垂直な横方向に可撓性があり、非伸張性である。したがって、ストラップ８０は可撓であるが、少なくとも通常の使用条件下では伸張しない。その理由から、アーチ５０、したがってストッパー４９は、図２及び図３に関する場合のように後部支持部材２９が後方に展開したときに後部支持部材２９の形状に完全にぴったり合う。ループ６１、６２及びストラップ８０、したがって、ひいてはブリッジ５３は、自由面３７の上で面支持を行うように、後部支持部材２９の自由面３７と接触することが分る。ループ６１、７１は、ベースプレート３のフロント５に対して長手方向に配向されるため、靴が後端４の方へ展開方向に後部支持部材２９を押すときに引張応力がかけられる。当然のことながら、その際、ブリッジ５３もまた引張応力がかけられる。結果として、ストッパー４９はそのアーチ５０によってシュラウドのように後部支持部材２９に作用することになる。その理由から、ストッパー４９がベースプレート３の長手方向Ｌの作用によって後部支持部材２９の展開を制限する。ストッパー４９のこの動作態様により、ストッパー４９に上記のシンプルな構造が付与される。実際に、機械的力学的な観点から、引張応力に対処することがさらにいっそう容易である。
【００５６】
記載の第１の実施形態によれば、外側支持体５１及び内側支持体５２はほぼ同じサイズを有し、横方向に互いに向かい合っている。その結果、ループ６１、７１及びフット６２、７２が横方向に互いに向かい合い、ブリッジ５３がベースプレート３に対して平行となる。これにより、ストッパー４９によって、すなわち、アーチ５０によってかけられた引張応力のバランスがとられる。実際に、これらの応力は第１の縁６と第２の縁７との間で等しく分布する、すなわち、外側支持体５１のループ６１におけるこれらの引張応力は内側支持体５２のループ７１における引張応力に等しいか又はそれに近い。これにより、後部支持部材２９での靴の支持の安定性がもたらされる。
【００５７】
ループ６１、したがって外側支持体５１の前端６３は、後端４よりも前端５側に近いことに留意されたい。同じ意図で、ループ７１、したがって内側支持体５２の前端７３は、後端４よりも前端５側に近い。したがって、ループ６１及び７１の長手方向(縦)軸は平面Ｐを形成する。図２によって特に理解されるように、後部支持部材２９の自由面３７がアーチ５０にもたれかかるとき、この自由面３７は平面Ｐに対して垂直であるか又はほぼ垂直である。この構成により、アーチ５０、したがってストッパー４９の、長手方向Ｌの、かつ、前端５に対しての引張作用が最適化する。
【００５８】
図１〜図３のみならず図４及び図５によっても理解されるように、ベースプレート３に対する後部支持部材２９の位置を調整することができる。このことは、取付端３１、３２のそれぞれを任意に前進又は後退させることができることを意味する。各関節部４１、４２の位置はベースプレート３に対して又はフランジ２１、２２に対して調節可能であると言える。例として、ベースプレート３に対して後部支持部材２９の２つの関節部４１、４２の一方又は双方を取外してから再び取り付けることによって、位置変えが達成される。
【００５９】
図４及び図５に示すように、内側フランジ２２の場合では、関節部４２は例えばねじ８５及びナット８６を含む。内側フランジ２２はここでは、ねじ８５を受け入れる２つの孔８７、８８を有しているが、代替的にそれよりも多く設けることもできるか、又はスロットを具現することができる。全ての場合において、ねじの軸、孔８７、８８の軸及び第２の関節部の軸４４が入れ替わる。当然のことながら、外側フランジ２１の領域の関節部４１についても同様である。
【００６０】
具体的には、図４に関して、第２の取付端３２が内側フランジ２２に沿って後退した位置に配置されている。よって、第２の取付端３２は後端４のより近くにある。これとは反対に、図５に関して、第２の取付端３２はより前進した位置に配置されている。したがって、第２の取付端３２は後端４の近くにはない。当然のことながら、関節部４２の位置は変わる。
【００６１】
関節部４１、４２について、互いに向かい合う位置、又は、代替的に、互いに対して後退する位置を選択することができる。その結果、後部支持部材２９の位置は、ベースプレート３に対して垂直な仮想軸に沿って回動前進、回動後退又は回動調節することができる。よって、この仕組みにより、後部支持部材２９がストッパー４９と接触するときに後部支持部材２９の傾斜を調節することが可能となると共に、ほぼ垂直な軸周りの後部支持部材２９の角度配向を調節することが可能となる。
【００６２】
記載の実施形態では、フランジ２２中の２つの孔８７、８８だけが調節機構を示している。当然のことながら、後部支持部材２９の傾斜及び／又は角度配向の調節のより多くの数の構成を可能にするために、より多くの孔、又はノッチを含めた他の手段も考えられ得る。
【００６３】
例えばフット６２の領域で測定された、各支持体５２、５３の厚みｅは、該支持体が固定されているフランジ２２の厚みＥよりも薄いことに留意されたい。例えば、支持体の厚みｅは０．５ｍｍ〜５ｍｍ（両端値を含む）であり、１ｍｍ〜３ｍｍの値が申し分のない成果を与えることが分っている。支持体５１、５２、したがってループ６１、７１及びフット６２、７２の低減した厚みは、横方向に可撓性がありつつもそれらに引張に機械的な耐性を付与するのに十分である。これは、ストッパー４９の、後部支持部材２９の形状にぴったり合うことができる性能を高める。フランジ２２の幅Ｅに関して、この幅Ｅは５ｍｍ〜１５ｍｍ（両端値を含む）であり、５ｍｍ〜８ｍｍの値が申し分のない成果を与えることが分っている。フランジ２１、２２のより厚い厚みがベースプレート３に剛性を与え、この剛性により例えば靴のソールの正確な横方向の保持が可能となる。
【００６４】
当然のことながら、ベースプレート３、したがってフランジ２１、２２及び支持体５１、５２は、プラスチック材料のようなあらゆる好適な材料から作製される。
【００６５】
本発明の第１の実施形態によれば、各支持体５１、５２はベースプレート３に取り付けられた部品である、すなわち、実際にはフランジ２１、２２に取り付けられている。結果として、ストッパー４９又はアーチ５０はベースプレート３に取り付けられている部品である。この取付けは例えば嵌め込みによって達成され、関連する関節部４１、４２によって強固となる。実際に、後部支持部材２９の上下動が可能となることに加え、各関節部が、そのねじ８５及びそのナット８６により、支持体５１、５２をフランジ２１、２２と接触して保持する。したがって、１つの支持体又は２つの支持体を、ベースプレート３の材料とは異なる材料、すなわちフランジ２１、２２の構成成分の材料とは異なる材料を用いて達成することができる。当然のことながら、支持体５１、５２の構成成分材料は、ベースプレート３の構成成分材料よりも可撓性があるように選択される。これにより、装置１の種々の部材に適切な機械的特性を付与することが可能となる。
【００６６】
特に図６によって理解されるように、各ループ６１、７１は、ストラップ８０と協働するようになっているガイド９１を示す。ガイド９１はここでは中にストラップ８０が配置される溝の形態で具現されている。したがって、当然のことながら、このストラップ８０はループ６１、７１に沿って保持される。この構成により、特にブリッジ５３の領域でのその役割においてストラップ８０の可撓性を享受しつつもストッパー４９又はアーチ５０の自立形特性が保たれる。
【００６７】
必ずしもそうである必要はないが、図７に詳細に示すように、ストラップ８０の張力を調整することができる。結果として、支持体５１、５２の横方向の可撓性により、アーチ５０の長さが調節可能である。これにより、ストッパー４９の幾何学形状を、靴の形状にできる限り正確に対応するように調整することが可能となる。靴の保持はそれでもより良い。
【００６８】
実際には、保持装置１はストラップ８０の長さの調節手段を備える。例えば、ストラップ８０の端９２が、ねじ９４に固定されるバックル９３を有する。当然のことながら、ねじ９４はフランジ２２内に収まっている。手で作動させることができるホイール９５がねじ９４と協働してストラップ８０の有効長さを維持又は変更する。最後に、アーチ５０の長さがホイール９５によって調整される。
【００６９】
第２の実施形態を図８によって以下に示す。便宜上の理由から、第１の実施形態と類似の部品は同じ符号で示す。
【００７０】
ここでもまた概して、特にベースプレート３、第１のフランジ２１及び第２のフランジ２２、後部支持部材２９、並びにストッパー４９を備えた保持装置１が見られる。
【００７１】
第２の実施形態による装置１の特徴はストッパー４９の構造である。ストッパー４９が同じく、外側支持体１０１、内側支持体１０２及びブリッジ１０３を含むアーチ１００である場合、支持体１０１、１０２及びブリッジ１０３はここでは一体品を形成する。換言すればアーチ１００が一体品である。先述のように、外側支持体１０１及び内側支持体１０２がそれぞれループ１１１、１２１、フット１１２、１２２、前端１１３、１２３及び後端１１４、１２４を含むため、ループ１１１、１２１、フット１１２、１２２及びブリッジ１０３は一体品を形成する。例えば、これは厚みが０．５ｍｍ〜５ｍｍ（両端値を含む）であり、１ｍｍ〜３ｍｍの値が申し分のない成果を与えることが分っている、プラスチック材料で作製される。
【００７２】
ストッパー４９の機能は第１の実施形態と類似している。
【００７３】
アーチ１００もまた、囲まれていると共に、後部支持部材２９を取り囲み、かつ、ベースプレート３のフロント１１３、１２３にアンカー固定されたストリップ１７５をできる限り引張作用するように含む。ストリップ１７５は支持体１０１の一部、支持体１０２の一部及びブリッジ１０３を含む。
【００７４】
アーチ１００は自立形構造を有する。アーチ１００は、後部支持部材２９が後方に回動すなわち展開したときに後部支持部材２９の形状にぴったり合うように横方向に可撓性がある。したがって、後部支持部材２９の展開は、長手方向Ｌの、ストッパー４９を形成するストリップ１７５の作用によって制限される。
【００７５】
限定するものではないが、アーチ１００又はストッパー４９はそれ自体がベースプレート３と共に一体部品を形成する。しかしながら、代替的に、アーチ１００はベースプレート３とは異なる部品とし、当業者に既知のあらゆる手段によってベースプレート３に取り付けることも意図され得る。
【００７６】
代替的に、ストリップ１７５は第１の実施形態のストラップ８０と同様の保持によりワイヤー又はストラップを受け入れるようになっている溝を含むことができる。この補強により、ストリップ１７５の引張に対する保持を高め、したがって、ストッパー４９の保持を高めることが可能となる。
【００７７】
一般的なやり方で、本発明は当業者に既知の材料から、かつ、現行技術に従って実現される。
【００７８】
当然のことながら、本発明は記載の実施形態に限定されず、添付の特許請求の範囲内にあり得るあらゆる技術的等価物を含む。
【００７９】
例えば、ストッパー４９又はアーチ５０、１００は、１つのみの材料からなっていてもよく又は対照的に種々の材料製の複数の部分からなっていてもよい。この後者の場合では、これらの部分は、固定されるにせよ、互いに対して可動であるにせよ、互いにしっかり取付けられる。特に、ストラップ８０は固定化することができるか、又は逆にそのガイド９１内で摺動することもできる。
【００８０】
ストッパー４９、より詳細にはストリップ７５、１７５は、例えばチェーン又は時計ブレスレットのように互いに関節連結された一連のセクションを含むことができる。
【００８１】
好適には、ストリップ７５の第１のアンカー点６３及び第２のアンカー点７３並びにストリップ１７５の第１のアンカー点１１３及び第２のアンカー点１２３は、双方とも、ベースプレート３の長さの第１の部分、有利には初めの３分の１内の、ベースプレート３の前端の近くにある。
【００８２】
有利には、ストリップ７５、１７５の幅は、軽量化した構造を有するために２センチメートルより低い。
【００８３】
ストリップ７５、１７５はワイヤー形態とすることができる。その場合、ストリップは自立形構造の一部をなす。
【図１】
0005930601.tif 000002
【図２】
0005930601.tif 000003
【図３】
0005930601.tif 000004
【図４】
0005930601.tif 000005
【図５】
0005930601.tif 000006
【図６】
0005930601.tif 000007
【図７】
0005930601.tif 000008
【図８】
0005930601.tif 000009